(57)【要約】      （修正有）【課題】亡くなられた方の御顔を出来る限り、生前の面影に近く整えてあげるために、死後硬直後に口腔内に挿入装填する、口腔装着具の技術を提供する。【解決手段】入熱で変形可能な樹脂類材料から成る、上顎歯肉本体１および下顎歯肉本体５に、義歯２を着脱可能に挿入して固定する義歯固定孔３を少なくても、必要適当なる歯数分だけ設ける。さらに上顎歯肉本体１の両端に填込孔４を設け、また下顎歯肉本体５の両端には止突起を設ける。最後に上顎歯肉本体１と下顎歯肉本体５を入熱でもって個人口腔にぴったり合わせた形状に形成する。つぎに義歯２をこれらの義歯固定孔３に挿入装填して固定し、咬合面７を適格に調整して、前記上顎下顎歯肉本体の義歯固定孔３に止突起を嵌めて固定する。さらにまた、上顎歯肉本体１側と下顎歯肉本体５側は、別々に分離独立しても使用出来る特徴を成す。【選択図】図１
0003143085.tif 000002
【実用新案登録請求の範囲】
【請求項１】
入熱で変形可能な樹脂類材料から成る、上顎歯肉本体（１）および下顎歯肉本体（５）に、義歯（２）を着脱可能に挿入して固定する義歯固定孔（３）を少なくても、必要適当なる歯数分だけ設け、さらに上顎歯肉本体（１）の両端に填込孔（４）を設け、また下顎歯肉本体（５）の両端には止突起（６）を設ける、最後に上顎歯肉本体（１）と下顎歯肉本体（５）を入熱でもって、個人口腔にぴったり合わせた形状に形成し、つぎに義歯（２）をこれらの義歯固定孔（３）に挿入装填して固定し、咬合面（７）を適格に調整して、前記上顎下顎歯肉本体の義歯固定孔（３）に止突起（６）を嵌めて固定する、さらにまた、上顎歯肉本体（１）側と下顎歯肉本体（５）側は、別々に分離独立して使用出来る特徴を成す、口腔美整装着具である。
【考案の詳細な説明】
【技術分野】
【０００１】  本考案は、亡くなられた方の御遺体の御顔を出来る限り、生前の面影に近く整えてあげる手段として、死後硬直後に口腔内に挿入装填する、口腔装着具の技術に関するものである。
【背景技術】
【０００２】  従来、亡くなられる方の臨終前には、入れ歯を外されてしまうので、死後硬直により、再びこの入れ歯は口に戻らなくなる。そうなると歯の無い口元が原因で御顔全体が、生前の面影を失ってしまうのである。
【考案の開示】
【考案が解決しようとする課題】
【０００３】  この為、最近では亡くなられた方の口元、つまり口腔内に入れ歯のように、挿入して口元を整える器具類が、幾つか開示されている。まず特開２００６−１４９４５８「口腔内挿入具」のごとく、上顎用、下顎用の１セットを御遺体の口腔内に入れ歯のごとく挿入するものであるが、亡くなられた方の歯が、まだ何本かある場合には、使用出来ない場合が発生する。その他、上顎下顎の総入れ歯状態で形成されていて、この上顎下顎部分の後方に、口を開かせる働きを持たしたバネを、装着したものもある。しかし、いずれも亡くなられた方の口腔内に歯が無いことが、前提になる。
本考案は、このような問題点なりを解消する為になされたものである。
【課題を解決するための手段】
【０００４】  まず、入熱で変形可能な樹脂類材料（例えば、ルシトーン等）から成る、上顎歯肉本体（１）および下顎歯肉本体（５）を形成し、これに義歯（２）を着脱可能に挿入して固定させる、義歯固定孔（３）を少なくても必要適当なる歯数分だけ設ける。
さらに上顎歯肉本体（１）の両端に、該下顎本体を係止する填込孔（４）を設け、また下顎歯肉本体（５）の両端には、この填込孔（４）に合わせて係止させる、止突起（６）を設ける。そして上顎歯肉本体（１）と下顎歯肉本体（５）を入熱でもって、個人口腔にぴったり合わせた形状に形成し、つぎにアクリルレジン等の材料で加工した義歯（２）を、これらの義歯固定孔（３）に挿入装填して固定し、咬合面（７）を適格に調整して、該上顎下顎歯肉本体に設けた、義歯固定孔（３）と止突起（６）を係合させて、嵌めこんで固定する。ここでまた、上顎歯肉本体（１）側と下顎歯肉本体（５）側は、別々に分離独立して片側だけで使用することも出来る。
本考案は以上のような構成による、口腔美製装着具である。
【考案の効果】
【０００５】  装着具の義歯は、ワンタッチで着けたり、取り外したり出来るし、さらに歯肉本体部分は入熱と共にハサミ等で、簡単に切り取ることができ、必要な部分だけ作る事が出来るので、個人の歯の有る無い等、その形状や大きさサイズに関係なく、それぞれ異なる個人口腔に合わせて、部分的にも装着する事が出来る。
【考案を実施するための最良の形態】
【０００６】    以下、図面を参考にして、最良の形態を説明する。まず、入熱で変形可能な樹脂類材料（例えば、ルシトーン等）で上顎歯肉本体（１）および下顎歯肉本体（５）を形成する。この入熱で変形する樹脂類の材料はとても扱いやすく、口腔形状に合わせて曲げたり、取り去ったり、ハサミ等で切り落としたり、簡単に歯科技術加工ができる。さらにこの該歯肉本体に対して義歯（２）を着脱可能に挿入して固定させたり、取り外したり出来るように、義歯固定孔（３）を少なくても必要適当なる歯数分だけ設ける。さらに上顎歯肉本体（１）の両端に、該下顎本体を係止する填込孔（４）を設け、また下顎歯肉本体（５）の両端には、この填込孔（４）に合わせて係止させる、止突起（６）を設ける。そして、上顎歯肉本体（１）と下顎歯肉本体（５）を入熱でもって、個人口腔にぴったり合わせた形状に形成し、つぎにアクリルレジン等の材料で加工した義歯（２）を、これらの義歯固定孔（３）に挿入装填して固定し、咬合面（７）を適格に調整して、該上顎下顎歯肉本体に設けた、義歯固定孔（３）と止突起（６）を係合させて、嵌めこんで固定する。この状態は上下顎歯肉と義歯が全部揃った形である。ここでまた、亡くなられた方の歯の欠損状態に合わせて、例えば残っている歯の部分は義歯（２）を付けず、欠損部分だけ義歯（２）を付けていくやり方で加工する。または、歯の欠損部分が上顎下顎３〜５本だけの場合も、その部分だけの前記上下歯肉本体をハサミ等で、切り取って合わすことも出来る。この方法で加工をおこなえば、確実に自在に亡くなられた方の口腔形状に合わせたものが完成する。
また当然ながら上顎歯肉本体（１）側と下顎歯肉本体（５）側は、別々に分離独立して片側だけで使用することも出来る。
本考案は以上のような構成であり、これを使用実施するときには、【０００７】  上顎歯肉本体（１）および下顎歯肉本体（５）を用意して、亡くなられた方の口腔形状に合わせて、湯等その他の方法により該歯肉本体に加熱しながら曲げたり、またはハサミで切ったりしながら、その形状をしだいに整えていく、最後に義歯（２）を義歯固定孔（３）に差し込んで、咬合面（７）を確認調整して止突起（６）を填込孔（４）に係止して後は口腔内に、これを装着するだけでよい。
【図面の簡単な説明】
【０００８】
【図１】  本考案の構成正面図である。
【図２】  本考案の上面図である。
【図３】  本発明の咬合係止斜視図である。
【図４】  本考案の義歯着脱部の説明図である。
【符号の説明】
【０００９】１  上顎歯肉本体
２  義歯
３  義歯固定孔
４  填込孔
５  下顎歯肉本体
６  止突起
７  咬合面
【図１】
0003143085.tif 000003
【図２】
0003143085.tif 000004
【図３】
0003143085.tif 000005
【図４】
0003143085.tif 000006